(57)【要約】【課題】本発明は、クリート靴又はスパイク靴のクリート又はスパイクも保護し且つ床も保護し、また経済的、快適、及び機能的なようにするクリート保護靴カバーに関する。【解決手段】クリート保護靴カバー（３０）は、係合部（６０と６２）又は弾性材料のどちらかから形成され且つその頂部に形成された靴開口部を有する上部部分を有する。クリート保護靴カバー（３０）は、伸縮性であり、またクリートが入りこめる領域（４０，４２）を設けることにより、クリート靴と係合し、クリートが床面から損傷を受けないよう又は床面を損傷しないようにしている。【選択図】図４
2011212461.tif 000002
【特許請求の範囲】
【請求項１】
クリート保護靴カバーであって、
上部面と下部面を備える靴底部分であって、ボール領域、ヒール領域、及び前記ボール領域と前記ヒール領域との間の中間領域を有し、少なくとも前記ボール領域とヒール領域は、クリート靴のクリートが入りこめるように断面が変形する形態で、上部面に設けられた軟質且つ変形可能な材料を有する靴底部分と、
着用者のクリート靴を覆う前記クリート保護靴カバーを保持する係合部と、
を具備する、クリート保護靴カバー。
【請求項２】
断面が変形する形態で上部面に設けられた前記軟質且つ変形可能な材料は、前記靴底部分の前記ボール領域とヒール領域に形成された凹所の中に配置される中敷きを具備する、請求項１に記載のクリート保護靴カバー。
【請求項３】
前記中敷き以外の領域はより堅く且つより変形し難い材料から形成される、請求項２に記載のクリート保護靴カバー。
【請求項４】
前記クリート保護靴カバーの前記ヒール領域の付近に配置されるヒール係合部分をさらに具備する、請求項１〜３のいずれか一項に記載のクリート保護靴カバー。
【請求項５】
前記係合部は着脱自在に一緒に取り付けられる一対の保持ストラップを具備する、請求項１〜４のいずれか一項に記載のクリート保護靴カバー。
【請求項６】
前記ストラップは伸縮性材料を具備する、請求項５に記載のクリート保護靴カバー。
【請求項７】
前記上部面は、クリート靴のクリートと係合するようになっている複数の軟質且つ変形しやすい突出部を具備する、請求項１〜６のいずれか一項に記載のクリート保護靴カバー。
【請求項８】
弾性材料を具備し且つその頂部に形成される靴開口部を有する上部部分と、
弾力性のある上部部分の下方で前方部分に配置されるボール領域靴底部分と、
弾力性のある上部部分の下方で後方部分に置かれるヒール領域靴底部分と、
ボール領域靴底部分とヒール領域靴底部分との間の中間部分であって、弾力性のある上部部分の一部を有し、長手方向に伸縮可能である、中間部分と、
を具備する、クリート保護靴カバー。
【請求項９】
ボール領域靴底部分とヒール領域靴底部分は別個の部分であり、且つ上部部分の下側から延びる、請求項８に記載のクリート保護靴カバー。
【請求項１０】
ボール領域靴底部分とヒール領域靴底部分は上部部分へ取り付けられる、請求項８又は９に記載のクリート保護靴カバー。
【請求項１１】
ボール領域靴底部分とヒール領域靴底部分は上部部分と一体に形成される、請求項８〜１０のいずれか一項に記載のクリート保護靴カバー。
【請求項１２】
ボール領域靴底部分とヒール領域靴底部分は弾力性のある上部面を有する、請求項８〜１１のいずれか一項に記載のクリート保護靴カバー。
【請求項１３】
上部部分は該上部部分に形成された開口部を有する結合部分を有する、請求項８〜１２のいずれか一項に記載のクリート保護靴カバー。
【請求項１４】
前記ボール領域靴底部分と前記ヒール領域靴底部分は凹所を有する、請求項８〜１３のいずれか一項に記載のクリート保護靴カバー。
【発明の詳細な説明】
【技術分野】
【０００１】
この発明は、フットウェアの分野に関し、また詳細には芝生又は軟弱な地面で使用されないとき、並びに床面がクリートにより損傷を受けないようにするときの、フットウェアのクリート又はスパイクを保護する靴カバーに関する。
【背景技術】
【０００２】
数例を挙げると、陸上競技、ベースボール、フットボール、サッカー、ラグビー、ラクロス及びゴルフなどの様々なスポーツにおいて、靴は、靴の底から下向きに延びているクリート又はスパイクを設けられる。クリート又はスパイクは、以前は金属から作製されたが、現在は硬質プラスチックから作製されるのがより一般的である。これらのクリート又はスパイクは、スポーツのフィールドとトラックでユーザに追加的な牽引力を提供する。しかしながら、クリートは、歩道と車道などのギザギザで硬い表面上を歩行することにより損傷を受けることがある。さらに、クリートは、板張りの床と室内カーペットなどのより傷つきやすい床面を損傷することがある。
【０００３】
従って、競技者は通常、クリート付靴を使用しないとき競技者が履くことがあるクリートの無い一対の歩行用靴と一緒に、クリート又はスパイク付きの運動靴を持っていく。しかしながら、競技者はクリートのない又はスパイクのない靴を持っていくことを忘れる、又はフィールドで使用後クリート付靴を脱がない場合があり、それ故、クリートが過度に早く磨耗するか、又は車のカーペット又はビルの床などの面が汚れる又はこすれる。
【発明の概要】
【０００４】
従って、クリート靴又はスパイク靴のクリート又はスパイクも保護し且つ床も保護し、また経済的、快適、及び機能的なようにするクリート保護靴カバーを有することは有益であろう。
【図面の簡単な説明】
【０００５】
【図１】標準的なクリート靴の底面右斜視図である。
【図２】本発明の代表的なクリート保護靴カバーの頂部分解斜視図であり、クリート保護靴カバーは、クリート保護靴カバーのベース部分から取り外されたクリート適合パッドと、互いから引き離された保持ストラップを備えている。
【図３】互いから引き離された保持ストラップを備え開放状態にある、本発明の保護フットウェアの下部右側面である。
【図４】図１の標準的なクリート保護靴カバーの上方に置かれた図１の標準的なクリート靴の頂部斜視図である。
【図５】クリート保護靴カバーのクリート適合パッドと係合するクリート靴の前方部分の靴底からクリートがどのように延びているかを示している部分断面図である。
【図６】クリート保護靴カバーの別の代表的な実施形態の前方頂部斜視図である。
【図７】図６の代表的なクリート保護靴カバーの前方底部斜視図である。
【図８】クリート靴と共に使用される図６のクリート保護靴カバーの側方図である。
【図９】クリート靴と共に使用される図６のクリート保護靴カバーの前方図である。
【図１０】本発明のクリート保護靴カバーのさらなる実施形態の頂部前方斜視図である。
【図１１】本発明の寸法調節可能なクリート保護靴カバーのさらなる実施形態の側方斜視図である。
【図１２】図１１の寸法調節可能なクリート保護靴カバーのシェルと外側靴底を示している詳細図である。
【図１３】図１１の寸法調節可能なクリート保護靴カバーの底面図である。
【図１４】中に挿入されたクリート靴と共に示される図１１の寸法調節可能なクリート保護靴カバーの側方斜視図である。
【図１５】クリート保護靴カバーの別の実施形態の頂部斜視図である。
【図１６】図１５のクリート保護靴カバーの底部平面図である。
【発明を実施するための形態】
【０００６】
図１は、標準的なクリート靴１０の底面右図である。クリート靴は、その下部面に取り付けられた靴底１４と共に靴の甲１２を有する。靴底１４は、ボール（母指球）部分１６、アーチ（足の土踏まず）の付近の中央部分１８、及びヒール（踵）部分２０を有する。クリート２２は、ボール部分１６の靴底の底面から下向きに延び、またクリート２４は、ヒール部分２０の底面靴底から下向きに延びる。一般に、クリート２２と２４は、靴のアーチ領域１８へは延びない。クリート２２と２４は、金属、プラスチック、硬質ゴム、又は他の所望される材料から作製でき、また着脱自在に靴底１４に取り付けできる。標準的なクリート靴１０は、説明のためのみに示され、また他のクリート靴も使用できる。さらに、用語“クリート”の使用は、優れた安定性とクリート、スパイク及びノブなどのグリップを提供するよう意図される、靴から下向きに延びているいずれかの突出部を網羅することが意図されている。
【０００７】
図２は、本発明の代表的なクリート保護靴カバー３０の頂部斜視図である。それは、ヒール領域３４、アーチ領域３６及びボール領域３８を備える靴底３２を有する。ヒール領域３４とボール領域３８は、その中の上部部分に形成される凹所４０と４２をそれぞれ有することがある。エラストマ状クリート適合パッド４４と４６が置かれ且つ凹所４０と４２の内部にそれぞれ外れないよう取り付けられることが好ましい。あるいは、エラストマ状クリート適合パッド４４と４６の材料を靴底の他の部分を用いて成型することによるなど、靴底を、その中に一体に形成されるエラストマ状クリート適合パッド４４と４６と一緒に形成できる。アーチ領域３６は、凹所４０と４２よりも高く位置する上部表面を保有でき、且つエラストマ状クリート適合パッド４４と４６よりも堅い材料から形成できることが好ましい。従って、エラストマ状パッド４４と４６がそれぞれ置かれ且つ好ましくは凹所４０と４２に取り外せないよう取り付けられるとき、アーチ領域３６の頂部とエラストマ状クリート適合パッド４４と４６の頂部は、ほぼ同じ高さにあって、比較的平坦な面を備えている。前方凹所４２の周辺に、エラストマ状クリート適合パッド４６よりもより弾性力のある材料から成るリム４３、例えば靴底３２からの延長部を提供し、エラストマ状クリート適合パッド４６を保持できる。ヒール凹所４０の周囲に、エラストマ状パッド４６よりもより弾性力のある材料から成るリム４１、例えば靴底３２からの延長部を提供し、エラストマ状材料から成るパッド４４を保持できる。あるいは、ヒール領域３４とボール領域３８は、凹所を含むのをなんら必要とせず、その場合にはエラストマ状パッド４４と４６を靴底の上部部分に直接置くことができる。ヒール領域３４には、ヒール係合構造５０が設けられる。二つの別個のパッドを保有する代りに、必要なら上部面のほぼ全体が、アーチ領域３６でさえ、パッドを含むことができる。ヒール係合構造５０は、靴底部分の後の上向き且つ周囲に延びる材料の部分を具備でき、またその中に置かれた靴のヒールカップの後ろを把持するために活用できる。材料は、プラスチック、革、ビニール、又は幾つかの他の材料など、軟質且つ弾力性があって、靴が適所に置かれるとき、その中に置かれた靴のヒールを把持することが好ましい。優れた嵌合を提供するため、切り離し部分５２をヒール係合構造の下方部分に含むことができる。前方凹所３８の領域の靴底のボール又は前方領域からの延長は、保持ストラップ６０と６２などの係合部である。保持ストラップ６０と６２は、開放され且つ係合されない様式で示されている。保持ストラップ６０と６２は、各ストラップ上にフック・アンド・ループ用材料６４と６６（図３に図示）、スナップ（図示せず）、調節バックル（図示せず）及び他の周知構造などの着脱自在の取り付け要素を保持して、使用するとき、二つの保持ストラップ６０と６２は一緒にでき且つユーザのクリート靴（図示せず）の周囲に固定できる。クリート保護靴カバー３０を迅速に着けたり脱いだりする能力が望まれるので、着脱自在の保持ストラップ６０と６２が有用である。しかしながら、一対の対向ストラップを提供する代りに、靴カバーのボール部分を横断して延び、ユーザがそこへ滑り込みできる単一の弾性保持ストラップを提供できる。ヒール係合構造を含まないそのような実施形態は、図１０を参照して図示され且つさらに後述される。
【０００８】
図３は、保持ストラップ６０と６２が互いから係合されず且つ開放状態にあり、フック・アンド・ループ用材料６４と６６をそれぞれ示している、本発明の代表的なクリート保護靴カバー３０の下部右側方図である。ヒール係合構造５０と、ヒール領域３４、アーチ領域３６及びボール領域３８を備える靴底３２が示されている。
【０００９】
図４は、代表的なクリート保護靴カバー３０の上方に配置された図１の標準的なクリート靴１０の頂部斜視図であり、靴カバーの保持ストラップ６０と６２は離され、靴１０を挿入し且つ取り外すことを可能にしている。この図では、凹所４０と４２にそれぞれ置かれたエラストマ状パッド４４と４６が示され、またクリート靴１０とクリート保護靴カバー３０の他の機構が示されている。
【００１０】
図５は、靴の甲１２を備えるクリート靴１０の前方部分の靴底１４からクリート２２がどのように延び、クリート保護靴カバー３０のエラストマ状クリート形成パッド４６を圧縮し且つ適合するか、またどうしてアーチ領域３６が軟質のエラストマ状材料から形成される必要がなく、必要ならより硬いプラスチック又はゴムなどの別の材料から形成でき、またクリート靴のアーチ領域１８を支持するために活用できるかを、示している部分断面図である。この図では、係合部ストラップは、わかりやすく示すために取り除かれている。凹所４２に置かれたエラストマ状パッド４６の嵌合が示されている。
【００１１】
図６は、クリート保護靴カバー７０の別の代表的な実施形態の前方頂部斜視図である。それは、好ましくは軟質且つエラストマ状の上部層７２、側方縁７４、比較的軟質且つエラストマ状の上部層７２の下方の比較的堅い靴底部分７６、ヒール係合構造７８、及び通常の手段により好ましくは着脱自在に一緒に取り付け可能な保持ストラップ８０と８２を有する。図２−５の実施形態とは異なり、必要なら、軟質且つエラストマ状の上部層７２は、アーチ領域の中断無しに、クリート保護靴カバー７０の全上部面を覆って連続して拡張できる。上部層７２は、織り目の付いた上部面を有し、靴のクリートを上手く把持できる。同様に、必要なら、上部層７２は、特に軟質且つエラストマ状でない材料から作製して、クリートが深くは沈み込まないようにできる。ヒール係合構造７８は、靴底部分の後ろの上向き且つ周囲に延びる材料の部分（例えば、ストラップ状様式にある）を具備でき、またその中に置かれた靴のヒールカップの後ろを把持するために活用できる。材料は、プラスチック、革、ビニール、又は幾つかの他の材料など、軟質且つ弾力性があって、靴が適所に置かれるとき、その中に置かれた靴のヒールを把持することが好ましい。保持ストラップ８０と８２などの係合部は、靴底のボール又は前方領域から延びる。保持ストラップ８０と８２は、開放され且つ係合されない様式で示されている。保持ストラップ８０と８２は、各ストラップ上にフック・アンド・ループ用材料、スナップ、調節バックル及び他の周知構造などの着脱自在の取り付け要素を有して、使用するとき、二つの保持ストラップ８０と８２は一緒にでき且つユーザのクリート靴（図示せず）の周囲に固定できる。クリート保護靴カバー７０を迅速に着けたり脱いだりする能力が望まれるので、着脱自在の取り付け可能な保持ストラップ８０と８２は有用である。しかしながら、一対の対向ストラップを提供する代りに、靴カバーのボール部分を横断して延び、ユーザがそこへ滑り込みできる単一の弾性保持ストラップを提供できる。
【００１２】
図７は、図６の代表的なクリート保護靴カバー７０の前方底部斜視図である。ヒール係合構造７８と保持ストラップ８０と８２があるように、靴底部分７６が示されている。
【００１３】
図８と９はそれぞれ、靴底から延びているクリート９２と９４を備えるクリート靴９０と共に使用される図６のクリート保護靴カバー７０の側方図と前方図である。図に示すように、ヒール係合構造７８は、その中に置かれた靴７０のヒール９６を把持し、また保持ストラップ８０と８２は、靴７０の前方領域９８を把持する。
【００１４】
図１０は、本発明のクリート保護靴カバー１００のさらなる実施形態の頂部前方斜視図である。それは、ヒール領域１０４、アーチ（靴中央）領域１０６,及びボール領域１０８を備える靴底１０２を有する。ヒール領域１０４とボール領域１０８に形成され、その中にエラストマ状クリート適合パッド１１４と１１６がある凹所１１０と１１２が、それぞれ置かれ且つ凹所１１０と１１２の内部に取り外せないように取り付けられることが好ましい。あるいは、エラストマ状クリート適合パッド１１４と１１６の材料を靴底１０２の他の部分と共に成型することによるなど、靴底を、その中に一体形成されたエラストマ状クリート適合パッド１１４と１１６と一緒に形成できる。あるいは、靴底の上方部分のヒールとボール領域にだけエラストマ状クリート適合材料を含むよりはむしろ、このエラストマ状材料をアーチ領域にさえも含むことができる。クリート保護靴カバー１００は、保持ストラップ１１８などの係合部を有する。保持ストラップは弾性力のある材料から形成され、ユーザがその中にクリート靴を滑り込ますことを可能にすることが好ましい。単一の保持ストラップが示されるが、図２−４に示されるような、着脱自在に一緒に取り付け可能な二つのストラップを使用できる。
【００１５】
図１１は、本発明の寸法調節可能なクリート保護靴カバー１３０のさらなる実施形態の側方斜視図である。それは、可撓性で弾力性のあるエラストマ状材料、ゴム、シリコーン、ネオプレン、伸縮性繊維等を含む、弾性材料から形成された靴の上方部分１３２を有する。上方部分１３２は、その中にクリート（又は他の）靴を履いている人の足が挿入できる（図示せず）靴開口部１３４を有する。ボール領域靴底部分１３６とヒール領域靴底部分１３８は、上方部分１３２の下側領域に取り付けられる。ボール領域靴底部分１３６とヒール領域靴底部分１３８は、必要なら、下部材料１４２とは異なる品質を有する上部表面材料１４０を保有できる。例えば、上部表面材料１４０は、より堅く且つ弾力性があり、穿通を止めることができるが、下部材料はより軟質且つより可撓性にできる。ボール領域靴底部分１３６とヒール領域靴底部分１３８は、接着剤、超音波接合、縫製、及び/又は他の機械的方法、又はいずれか他の方法により、上部部分１３２に取り付けできる。あるいは、上部部分１３２は、ボール領域靴底部分１３６及び/又はヒール領域靴底部分１３８と一緒に一体成型できる、又は上部部分１３２は、ボール領域靴底部分１３６及び/又はヒール領域靴底部分１３８と同一の材料から成型される。上部部分１３２は、靴の前方を保持させる前方部分１４４と靴の後方部分と係合させる後方部分１４６を有することが好ましい。前述のように、上部部分１３２は、可撓性で弾力性のあるエラストマ状材料、ゴム、シリコーン、ネオプレン、伸縮性繊維等を含む、弾性材料から形成され、また幅広い種類の様々な靴の周囲に適合し且つボール領域靴底部分１３６とヒール領域靴底部分１３８を備える靴に係合するよう設計される。ボール領域靴底部分１３６とヒール領域靴底部分１３８との間に、他の領域に取り付けられず且つその可撓性のために、寸法調節可能なクリート保護靴カバー１３０の延びを単一の靴カバーが幅広い種類の靴の型と寸法に適合できるようにさせる中間領域１４８がある。従って、クリート保護靴カバーを、具体的な靴の寸法（例えば１１Ｄ）に一致する別々の寸法に提供することを要求するよりはむしろ、寸法調節可能なクリート靴カバー１３０の可撓性によって、様々な靴の型と寸法に対し寸法と型を大きく順応させることができる。
【００１６】
図１２は、図１１の寸法調節可能なクリート保護靴カバー１３０の上部部分１３２とボール領域靴底部分１３６とを示している詳細図である。上部表面材料１４０とボール領域靴底部分１３６の下部材料１４２、並びに他の領域に取り付けられない中間領域１４８が示されている。上部部分１３２の下側領域１５０は、上部表面材料１４０に取り付けられる。両端矢印の線ｈ、ｗ及びｌにより示されるように、寸法調節可能なクリート保護靴カバー１３０の高さｈと幅ｗは、靴カバーの全ての地点で調節可能であり、また靴カバーの長さｌは、中間領域１４８で伸縮性である。
【００１７】
図１３は、図１１の寸法調節可能なクリート保護靴カバー１３０の底面図であり、また中間領域１４８の底部と、ボール領域靴底部分１３６とヒール領域靴底部分１３８の底部を示している。
【００１８】
図１４は、その中に（仮想的に）挿入されたクリート靴１６０を備えて示される、図１１の寸法調節可能なクリート保護靴カバー１３０の側方斜視図である。示されるように、クリート靴の前方部分１６２は、前方部分１４４により保持され、またクリート靴１６０のヒール部分１６４は、後方部分１４６に適合する。図１１に示されるような、寸法調節可能なクリート保護靴カバー１３０の他の部分がある。
【００１９】
図１５は、さらに別の寸法調節可能なクリート保護靴カバー１７０の側方斜視図であり、上部可撓性部分１７２は、ボール領域靴底部分１７４とヒール領域靴底部分１７６と一緒に一体形成されている。上部可撓性部分１７２は、その間に形成された開口部１８０を保有できる。開口部１８０は、上部可撓性部分１７２のより大きな伸縮性を可能にするよう機能できる。ボール領域靴底部分１７４とヒール領域靴底部分１７６は、結合部分１７８よりも厚く、それ故伸縮性をより小さくできる。寸法調節可能なクリート保護靴カバー１７０は、単一材料から形成できるが、より大きな耐久性用に、ボール領域靴底部分１７４とヒール領域靴底部分１７６の少なくとも一部（例えば、それらの底部）をより硬く且つより可撓性の小さい材料から形成することも可能で且つ好ましい。これは、従来の成型法により実行できる。クリート保護靴カバー１７０の中間部分１８２は伸縮性であり、様々なクリート靴の寸法と型によく適合できることが好ましく、また開口部１８４は中間部分の付近に置かれ、伸縮性を補助できることが好ましい。ヒール・プルタブ１８６を提供し、クリート保護靴カバー１７０を履き且つ脱ぐのを補助できる。
【００２０】
図１６は、寸法調節可能なクリート保護靴カバー１７０の底面図であり、またボール領域靴底部分１７４とヒール領域靴底部分１７６とアーチ領域１８２を示している。外形及び/又は突出部１８８は、ボール領域靴底部分１７４の底１８６から延長でき、また同様に外形及び/又は突出部１９０は、ヒール領域靴底部分１７６の底１９２から延長できる。
【００２１】
従って、クリート保護靴カバー３０、７０、１００、１３０、及び１７０は、クリート靴ユーザが容易にそれらを履き且つ脱ぐことができる有効且つ使用し易いカバーを提供する。クリート保護靴カバー３０、７０、１００、１３０、及び１７０は、寸法調節可能であることが好ましいが、絶対に必要とされるわけではなく、それらをより多くの種類の寸法と形状で作製し、所定の靴の型と寸法に緊密に一致させることができる。同様に、クリート保護靴カバー３０、７０、１００、１３０、及び１７０は、クリート靴に特に良く適合するが、室内で靴を履いても床を汚さないようにしたいときなどに、それらはクリート付でない靴とさえ使用できる。
【００２２】
このように、本発明の代表的な実施形態が説明されたが、前述の開示は単に代表例であり、様々な他の代替、改作及び改良が本発明の要旨の範囲内で実施できることは当業者により理解されるであろう。現在開示された実施形態は、全ての点で例示的で限定的でないとして考慮されるべきである。
【図１】
2011212461.tif 000003
【図２】
2011212461.tif 000004
【図３】
2011212461.tif 000005
【図４】
2011212461.tif 000006
【図５】
2011212461.tif 000007
【図６】
2011212461.tif 000008
【図７】
2011212461.tif 000009
【図８】
2011212461.tif 000010
【図９】
2011212461.tif 000011
【図１０】
2011212461.tif 000012
【図１１】
2011212461.tif 000013
【図１２】
2011212461.tif 000014
【図１３】
2011212461.tif 000015
【図１４】
2011212461.tif 000016
【図１５】
2011212461.tif 000017
【図１６】
2011212461.tif 000018
【手続補正書】
【提出日】平成23年8月3日(2011.8.3)
【手続補正１】
【補正対象書類名】特許請求の範囲
【補正対象項目名】全文
【補正方法】変更
【補正の内容】
【特許請求の範囲】
【請求項１】
弾性材料を具備し且つその頂部に形成される靴開口部を有する上部部分と；
前記上部弾力性のある部分の下方でその前方部分に置かれるボール領域靴底部分と；
前記上部弾力性のある部分の下方でその後方部分に置かれるヒール領域靴底部分と；
前記ボール領域靴底部分と前記ヒール領域靴底部分との間の中間部分であって、前記上部弾力性のある部分の一部を具備し、長手方向に伸縮性である、中間部分と；
を具備する、クリート保護靴カバー。
【請求項２】
前記ボール領域靴底部分と前記ヒール領域靴底部分は、別個の部分であり且つ前記上部部分の下側から延びる、請求項１に記載のクリート保護靴カバー。
【請求項３】
前記ボール領域靴底部分と前記ヒール領域靴底部分は、上部部分へ取り付けられる、請求項１又は２に記載のクリート保護靴カバー。
【請求項４】
前記ボール領域靴底部分と前記ヒール領域靴底部分は、上部部分と一体に形成される、請求項１〜３のいずれか一項に記載のクリート保護靴カバー。
【請求項５】
前記ボール領域靴底部分と前記ヒール領域靴底部分は、弾力性のある上部面を有する、請求項１〜４のいずれか一項に記載のクリート保護靴カバー。
【請求項６】
前記上部部分は、それらの間に形成された開口部と接続される部分を具備する、請求項１〜５のいずれか一項に記載のクリート保護靴カバー。
【請求項７】
前記ボール領域靴底部分と前記ヒール領域靴底部分は、その中に形成された凹所を有する、請求項１〜６のいずれか一項に記載のクリート保護靴カバー。
【外国語明細書】
2011212461000001.pdf